(57)【要約】【課題】  ２以上の表示パネルを備えた表示装置において、各表示パネルに印加するコモン信号電圧の反転駆動に係る駆動周期（周波数）を低減して、消費電力の削減を図ることができる表示装置及びその駆動制御方法を提供する。【解決手段】  表示装置は、メイン走査ドライバ３０ｍ及びサブ走査ドライバ３０ｓにより、所定の本数の走査ライン群Ｌsm、Ｌssを有するメイン表示パネル１０ｍ及びサブ表示パネル１０ｓに対して、走査ラインの本数の比（ｉ：ｊ）に応じたタイミングで、メイン表示パネル１０ｍのｉ行分の走査ラインを走査駆動した後、サブ表示パネル１０ｓのｊ行分の走査ラインを走査駆動する制御動作を、メイン表示パネル１０ｍ及びサブ表示パネル１０ｓ間で交互に繰り返すことにより、メイン表示パネル１０ｍ及びサブ表示パネル１０ｓの各行の液晶表示画素に表示信号電圧を順次書き込むように構成されている。【選択図】  図１
2005326461.tif 000002
【特許請求の範囲】
【請求項１】
複数の表示画素を２次元配列してなる表示パネルを複数有する表示手段を備え、該表示パネルの各行の表示画素を順次走査し、所定の画像信号に基づく表示信号電圧及びコモン信号電圧をフレーム反転駆動、かつ、ライン反転駆動して、所望の画像情報を表示する表示装置において、
少なくとも１走査期間中に、前記複数の表示パネルの各々において、該各表示パネルに設けられた走査ラインの本数の比に応じた数の行の前記表示画素を順次走査する制御動作を、該各表示パネル間で交互に繰り返す表示駆動手段を備えることを特徴とする表示装置。
【請求項２】
前記表示駆動手段は、前記複数の表示パネルの各々において、少なくとも、前記１走査期間における前記コモン信号電圧の各信号極性の合計が均等になるように、前記コモン信号電圧の反転駆動回数を設定するコモン信号駆動部を具備することを特徴とする請求項１記載の表示装置。
【請求項３】
前記コモン信号駆動部は、前記コモン信号電圧の反転駆動回数を、前記複数の表示パネルの各々に設けられた走査ラインの本数と同じになるように設定することを特徴とする請求項２記載の表示装置。
【請求項４】
前記表示駆動手段は、少なくとも、前記複数の表示パネルに共通に設けられた信号ラインに接続され、前記表示信号電圧を印加する唯一の信号駆動部と、前記複数の表示パネルごとに設けられた前記走査ラインに接続され、走査信号を順次印加して前記表示画素を走査する個別の走査駆動部と、を具備することを特徴とする請求項１乃至３のいずれかに記載の表示装置。
【請求項５】
前記表示駆動手段は、少なくとも、前記信号駆動部及び前記走査駆動部、前記コモン信号駆動部の動作状態を制御する制御部を具備することを特徴とする請求項４記載の表示装置。
【請求項６】
前記表示手段は、少なくとも、前記走査ラインの本数の比がｉ：ｊ（ｉ、ｊは任意の正の整数）となる第１の表示パネル及び第２の表示パネルを具備し、
前記表示駆動手段は、前記１走査期間中に、前記第１の表示パネルにおいてｉ行分の前記表示画素を順次走査する動作と、前記第２の表示パネルにおいてｊ行分の前記表示画素を順次走査する動作と、を交互に繰り返すように制御することを特徴とする請求項１乃至５のいずれかに記載の表示装置。
【請求項７】
前記表示手段は、少なくとも、前記走査ラインの本数の比がｉ：ｊ（ｉ、ｊは任意の正の整数）に近似する第１の表示パネル及び第２の表示パネルを具備し、
前記表示駆動手段は、前記１走査期間中に、前記第１の表示パネルにおいてｉ行分の前記表示画素を順次走査する動作と、前記第２の表示パネルにおいてｊ行分の前記表示画素を順次走査する動作と、を交互に繰り返すように制御することを特徴とする請求項１乃至５のいずれかに記載の表示装置。
【請求項８】
前記コモン信号駆動部は、前記第１の表示パネルの前記表示画素を走査する期間においては、前記第２の表示パネルの共通電極に印加される第２のコモン信号電圧の信号極性を、前記第２の表示パネルの前記表示画素を次回走査する際の前記第２のコモン信号電圧の信号極性と同極性に設定し、前記第２の表示パネルの前記表示画素を走査する期間においては、前記第１の表示パネルの共通電極に印加される第１のコモン信号電圧の信号極性を、前記第２のコモン信号電圧の信号極性と同極性に設定することを特徴とする請求項６又は７記載の表示装置。
【請求項９】
複数の表示画素を２次元配列してなる表示パネルを複数有する表示手段を備え、該表示パネルの各行の表示画素を順次走査し、所定の画像信号に基づく表示信号電圧及びコモン信号電圧をフレーム反転駆動、かつ、ライン反転駆動して、所望の画像情報を表示する表示装置の駆動制御方法において、
少なくとも１走査期間中に、前記複数の表示パネルの各々において、該各表示パネルに設けられた走査ラインの本数の比に応じた数の行の前記表示画素を順次走査する制御動作を、該各表示パネル間で交互に繰り返す処理と、
前記複数の表示パネルの前記表示画素を走査する際に、前記複数の表示パネルの各々において、前記コモン信号電圧の各信号極性の合計が均等になるように、前記コモン信号電圧の反転駆動回数を設定する処理と、
を含むことを特徴とする表示装置の駆動制御方法。
【請求項１０】
前記コモン信号電圧の反転駆動回数を設定する処理は、前記コモン信号電圧の反転駆動回数を、前記複数の表示パネルの各々に設けられた走査ラインの本数と同じになるように設定することを特徴とする請求項９記載の表示装置の駆動制御方法。
【請求項１１】
前記表示手段は、少なくとも、前記走査ラインの本数の比がｉ：ｊ（ｉ、ｊは任意の正の整数）となる第１の表示パネル及び第２の表示パネルを具備し、
前記複数の表示パネルの各々において、前記表示画素を順次走査する制御動作を、交互に繰り返す処理は、前記１走査期間中に、前記第１の表示パネルにおいてｉ行分の前記表示画素を順次走査する動作と、前記第２の表示パネルにおいてｊ行分の前記表示画素を順次走査する動作と、を交互に繰り返すことを特徴とする請求項９又は１０記載の表示装置の駆動制御方法。
【請求項１２】
前記表示手段は、少なくとも、前記走査ラインの本数の比がｉ：ｊ（ｉ、ｊは任意の正の整数）に近似する第１の表示パネル及び第２の表示パネルを具備し、
前記複数の表示パネルの各々において、前記表示画素を順次走査する制御動作を、交互に繰り返す処理は、前記１走査期間中に、前記第１の表示パネルにおいてｉ行分の前記表示画素を順次走査する動作と、前記第２の表示パネルにおいてｊ行分の前記表示画素を順次走査する動作と、を交互に繰り返すことを特徴とする請求項９又は１０記載の表示装置の駆動制御方法。
【請求項１３】
前記コモン信号電圧の反転駆動回数を設定する処理は、前記第１の表示パネルの前記表示画素を走査する期間においては、前記第２の表示パネルの共通電極に印加される第２のコモン信号電圧の信号極性を、前記第２の表示パネルの前記表示画素を次回走査する際の前記第２のコモン信号電圧の信号極性と同極性に設定し、前記第２の表示パネルの前記表示画素を走査する期間においては、前記第１の表示パネルの共通電極に印加される第１のコモン信号電圧の信号極性を、前記第２のコモン信号電圧の信号極性と同極性に設定することを特徴とする請求項１１又は１２記載の表示装置の駆動制御方法。
【発明の詳細な説明】
【技術分野】
【０００１】
本発明は、表示装置及びその駆動制御方法に関し、特に、２以上の複数の表示パネルを備えた表示装置及びその駆動制御方法に関する。
【背景技術】
【０００２】
近年、パーソナルコンピュータやデジタルカメラ、携帯電話機、ＤＶＤレコーダー等のデジタル情報機器の普及が著しい。このようなデジタル情報機器には、各種画像情報や機器の動作状態等を表示するための表示装置が搭載されている。例えば、携帯電話機においては、近年折りたたみ式の筐体構造を有するとともに、操作面側（筐体内面側）に設けられた比較的大型のメインディスプレイのほかに、背面側（筐体外面側）にも比較的小型のサブディスプレイを設けたものが主流となっている。
【０００３】
ここで、従来技術における、２つの表示パネルを備えた表示装置について説明する。
図６は、従来技術における、２つの表示パネルを備えた表示装置の一例を示す概略構成図である。ここでは、上述した携帯電話機のように、比較的大型の表示パネルと比較的小型の表示パネルを備えた構成を示す。また、表示パネルとして液晶表示画素を２次元配列し、アクティブマトリクス型の駆動方式に対応した液晶表示パネルを適用した構成を示す。
【０００４】
従来技術における表示装置は、例えば、図６に示すように、少なくとも走査ライン数が異なり、並列に配置された２種類の表示パネルＰＮＬ１、ＰＮＬ２と、各表示パネルＰＮＬ１、ＰＮＬ２の行方向に配設された各走査ライン群ＳＬｍ、ＳＬｓに走査信号を順次印加するゲートドライバ（走査ドライバ）ＧＤＲと、表示パネルＰＮＬ１の列方向に配設されたデータライン群ＤＬｍに表示信号（例えば、輝度信号に対応する表示信号電圧）を印加するソースドライバ（データドライバ）ＳＤＲと、各表示パネルＰＮＬ１、ＰＮＬ２に設けられた共通電極（コモン電極；図示を省略）にコモン信号電圧Ｖcom1、Ｖcom2を印加するコモン電圧発生部（コモン電圧駆動部）ＣＯＭ１、ＣＯＭ２と、を備えた構成を有している。
【０００５】
ここで、異なるパネルサイズを有する２つの表示パネルＰＮＬ１、ＰＮＬ２を備えた表示装置においては、ソースドライバＳＤＲから表示パネルＰＮＬ１に延在するデータライン群ＤＬｍのうち、一部のデータライン群ＤＬｓが表示パネルＰＮＬ１を貫通して、表示パネルＰＮＬ２に至るように構成され、データライン群ＤＬｓが２つの表示パネルＰＮＬ１、ＰＮＬ２で共用されている。
なお、図６に示した表示装置においては、２つの表示パネルＰＮＬ１、ＰＮＬ２のパネルサイズ（走査ライン数）が異なる場合の構成を示したが、例えば、同一のパネルサイズの表示パネルを２枚備えるものであってもよい。
【０００６】
また、ゲートドライバＧＤＲは、表示パネルＰＮＬ１、ＰＮＬ２に配設された各走査ライン群ＳＬｍ、ＳＬｓに対応する別個のドライバチップの形態を有するものであってもよいし、図６に示したように、単一のドライチップの形態を有するものであってもよい。すなわち、ゲートドライバＧＤＲに設けられた複数段のシフト信号生成部により、全ての走査ラインに順次走査信号を印加することができるものであればよい。
【０００７】
また、各表示パネルＰＮＬ１、ＰＮＬ２の共通電極にコモン信号電圧Ｖcom1、Ｖcom2を印加するコモン電圧発生部ＣＯＭ１、ＣＯＭ２についても、図６に示したように、各表示パネルＰＮＬ１、ＰＮＬ２に対応するように個別に設けられた構成を有するものであってもよいし、単一のコモン電圧発生部から各表示パネルＰＮＬ１、ＰＮＬ２に個別のコモン信号電圧Ｖcom1、Ｖcom2を印加するものであってもよい。
【０００８】
このような構成を有する表示装置については、例えば、特許文献１等に詳しく記載されている。すなわち、特許文献１等には、図６に示したように、例えば、走査ライン数が２４０本、データライン数が５２８（１７６×ＲＧＢ）本の表示パネルＰＮＬ１と、走査ライン数が６４本、データライン数が２６４（８８×ＲＧＢ）本の表示パネルＰＮＬ２と、を備え、ソースドライバＳＤＲから延在するデータライン群ＤＬ１〜ＤＬ５２８のうち、データライン群ＤＬ１〜ＤＬ２６４が、２つの表示パネルＰＮＬ１、ＰＮＬ２で共用する構成を有している。
【０００９】
図７は、従来技術における表示装置の表示駆動制御方法の一例を示すタイミングチャートである。
上述したような表示装置における表示駆動制御方法は、例えば、図７に示すように、まず、ゲートドライバＧＤＲから、小さいパネルサイズの表示パネルＰＮＬ２の走査ライン群ＳＬｓ（ＳＬ１〜ＳＬ６４）に対して、走査信号Ｓ１〜Ｓ６４を順次印加して選択駆動し、このタイミングに同期して、ソースドライバＳＤＲから表示パネルＰＮＬ２の各行に対応した表示信号Ｄ１〜Ｄ２６４を、データライン群ＤＬｓ（ＤＬ１〜ＤＬ２６４）に供給して各行の表示画素に書き込んだ後、引き続き、大きいパネルサイズの表示パネルＰＮＬ１の走査ライン群ＳＬｍ（ＳＬ６５〜ＳＬ３０４）に対して、走査信号Ｓ６５〜Ｓ３０４を順次印加して選択駆動し、このタイミングに同期して、ソースドライバＳＤＲから表示パネルＰＮＬ１の各行に対応した表示信号Ｄ１〜Ｄ５２８を、データライン群ＤＬｍ（ＤＬ１〜ＤＬ５２８）に供給して各行の表示画素に書き込むことにより、表示パネルＰＮＬ１及びＰＮＬ２の各々に、所望の画像情報が表示される。
【００１０】
ここで、上述した表示パネルＰＮＬ２に表示データを書き込んだ後、表示パネルＰＮＬ１に表示信号を書き込む一連の表示駆動制御動作は、図７に示すように、１フレーム期間を１サイクルとして順次実行される。すなわち、１フレーム期間に、各表示パネルＰＮＬ１、ＰＮＬ２を表示駆動する個別の動作期間を時系列的（シリアル）に設定した駆動方法が採用されている。
なお、図７に示した表示駆動制御方法においては、パネルサイズが小さい表示パネルＰＮＬ２に表示信号を書き込んだ後、パネルサイズの大きい表示パネルＰＮＬ１に表示信号を書き込む場合について説明したが、表示パネルＰＮＬ１に表示信号を書き込んだ後、表示パネルＰＮＬ２に表示信号を書き込むものであってもよい。
【００１１】
【特許文献１】特開２００３−３２３１６４号公報  （図７〜図９  第６頁〜第７頁）
【発明の開示】
【発明が解決しようとする課題】
【００１２】
しかしながら、上述したような従来技術においては、次に示すような問題点を有している。
すなわち、特許文献１等に記載された表示装置においては、図７に示したように、１フレーム期間を１サイクルとして、表示パネルＰＮＬ２及びＰＮＬ１に表示信号を順次書き込むとともに、該１フレーム期間ごとに、コモン信号電圧Ｖcom（Ｖcom1、Ｖcom2）の信号極性を反転制御する、フレーム反転駆動方式の制御動作について記載されている。
このようなフレーム反転駆動方式においては、周知のように、表示画素（画素容量）を構成する液晶分子に印加される電圧極性が、１フレーム期間の比較的長い期間、特定の極性に保持されることにより、液晶の劣化や焼き付き、フリッカによる表示画質の劣化等が生じるため、このような現象を抑制するために、例えば、フレーム（又は、フィールド）反転駆動、かつ、ライン（行）反転駆動方式を適用することが望ましい。
【００１３】
図８は、従来技術における表示装置を、フレーム反転、かつ、ライン反転駆動方式により表示駆動する場合のタイミングチャートである。ここでは、後述する発明の実施形態との対比の関係上、図６に示した表示装置において、表示パネルＰＮＬ１として走査ラインを３２０本、表示パネルＰＮＬ２として走査ラインを１６０本有するとともに、同数のデータラインを有する場合であって、１フレーム期間に、表示パネルＰＮＬ１に表示信号を書き込んだ後、表示パネルＰＮＬ２に表示信号を書き込む場合について説明する。
【００１４】
すなわち、例えば、図８に示すように、１フレーム期間で、ゲートドライバＧＤＲにより、表示パネルＰＮＬ１の１行目から３２０行目までを走査した後、表示パネルＰＮＬ２の１行目から１６０行目を走査する。そして、各行（走査ライン）の駆動タイミングに同期して、ソースドライバＳＤＲにより、データラインを介して表示信号が一斉に供給されるとともに、（１ラインごとに）コモン信号電圧Ｖcom1、Ｖcom2の信号極性を反転制御する。さらに、１フレーム期間ごとに、当該コモン信号電圧Ｖcom1、Ｖcom2の信号極性を反転制御する。これにより、走査ライン数が各表示パネルＰＮＬ１、ＰＮＬ２の総数である４８０本（＝３２０本＋１６０本）を有する表示パネルを、フレーム反転駆動、かつ、ライン反転駆動している場合と同等の駆動周期（周波数）で、コモン信号電圧Ｖcom1、Ｖcom2が反転駆動される。
【００１５】
なお、図８において、ＢＰ（バックポーチ）は垂直同期タイミング（１フレーム期間の開始タイミング）から表示パネルＰＮＬ１の表示有効期間までの非表示期間、ＭＰ（ミドルポーチ）は表示パネルＰＮＬ１の表示有効期聞から表示パネルＰＮＬ２の表示有効期間までの非表示期間、ＦＰ（フロントポーチ）は表示パネルＰＮＬ２の表示有効期間から次の垂直同期タイミングまでの非表示期間であって、いわゆる、垂直帰線期間を示す。
【００１６】
上述したようなフレーム反転駆動、かつ、ライン反転駆動方式においては、例えば、２つの表示パネルＰＮＬ１、ＰＮＬ２の一方のみを表示駆動している場合であっても、常に双方の表示パネルＰＮＬ１、ＰＮＬ２の共通電極にコモン信号電圧Ｖcom1、Ｖcom2を印加し続ける必要がある。
【００１７】
すなわち、一方の表示パネル（例えば、表示パネルＰＮＬ１）のみを表示駆動している場合には、他方の表示パネル（例えば、表示パネルＰＮＬ２）は、実質的に垂直帰線期間と同等の駆動状態（非表示状態）に設定されている。この場合、非表示状態（垂直帰線期間中）にある表示パネル（表示パネルＰＮＬ２）における消費電力を低減するために、当該表示パネルの共通電極に供給されるコモン信号電圧（Ｖcom2）の反転駆動を停止した場合、表示状態において表示画素に保持された電荷がリーク等することにより、表示画面に縞状のノイズが発生して表示画質が劣化するため、非表示状態であってもコモン信号電圧の反転駆動を停止させることができなかった。
そのため、常に双方の表示パネルにコモン信号電圧を印加し続け、かつ、所定の周期で反転駆動する必要があったため、コモン信号電圧の駆動制御のための消費電力が増大するという問題を有していた。
【００１８】
そこで、本発明は、上述した課題に鑑み、２以上の表示パネルを備えた表示装置において、各表示パネルに印加するコモン信号電圧の反転駆動に係る駆動周期（周波数）を低減して、消費電力の削減を図ることができる表示装置及びその駆動制御方法を提供することを目的とする。
【課題を解決するための手段】
【００１９】
請求項１記載の発明は、複数の表示画素を２次元配列してなる表示パネルを複数有する表示手段を備え、該表示パネルの各行の表示画素を順次走査し、所定の画像信号に基づく表示信号電圧及びコモン信号電圧をフレーム反転駆動、かつ、ライン反転駆動して、所望の画像情報を表示する表示装置において、少なくとも１走査期間中に、前記複数の表示パネルの各々において、該各表示パネルに設けられた走査ラインの本数の比に応じた数の行の前記表示画素を順次走査する制御動作を、該各表示パネル間で交互に繰り返す表示駆動手段を備えることを特徴とする。
【００２０】
請求項２記載の発明は、請求項１記載の表示装置において、前記表示駆動手段は、前記複数の表示パネルの各々において、少なくとも、前記１走査期間における前記コモン信号電圧の各信号極性の合計が均等になるように、前記コモン信号電圧の反転駆動回数を設定するコモン信号駆動部を具備することを特徴とする。
請求項３記載の発明は、請求項２記載の表示装置において、前記コモン信号駆動部は、前記コモン信号電圧の反転駆動回数を、前記複数の表示パネルの各々に設けられた走査ラインの本数と同じになるように設定することを特徴とする。
【００２１】
請求項４記載の発明は、請求項１乃至３のいずれかに記載の表示装置において、前記表示駆動手段は、少なくとも、前記複数の表示パネルに共通に設けられた信号ラインに接続され、前記表示信号電圧を印加する唯一の信号駆動部と、前記複数の表示パネルごとに設けられた前記走査ラインに接続され、走査信号を順次印加して前記表示画素を走査する個別の走査駆動部と、を具備することを特徴とする。
【００２２】
請求項５記載の発明は、請求項４記載の表示装置において、前記表示駆動手段は、少なくとも、前記信号駆動部及び前記走査駆動部、前記コモン信号駆動部の動作状態を制御する制御部を具備することを特徴とする。
請求項６記載の発明は、請求項１乃至５のいずれかに記載の表示装置において、前記表示手段は、少なくとも、前記走査ラインの本数の比がｉ：ｊ（ｉ、ｊは任意の正の整数）となる第１の表示パネル及び第２の表示パネルを具備し、前記表示駆動手段は、前記１走査期間中に、前記第１の表示パネルにおいてｉ行分の前記表示画素を順次走査する動作と、前記第２の表示パネルにおいてｊ行分の前記表示画素を順次走査する動作と、を交互に繰り返すように制御することを特徴とする。
【００２３】
請求項７記載の発明は、請求項１乃至５のいずれかに記載の表示装置において、前記表示手段は、少なくとも、前記走査ラインの本数の比がｉ：ｊ（ｉ、ｊは任意の正の整数）に近似する第１の表示パネル及び第２の表示パネルを具備し、前記表示駆動手段は、前記１走査期間中に、前記第１の表示パネルにおいてｉ行分の前記表示画素を順次走査する動作と、前記第２の表示パネルにおいてｊ行分の前記表示画素を順次走査する動作と、を交互に繰り返すように制御することを特徴とする。
【００２４】
請求項８記載の発明は、請求項６又は７記載の表示装置において、前記コモン信号駆動部は、前記第１の表示パネルの前記表示画素を走査する期間においては、前記第２の表示パネルの共通電極に印加される第２のコモン信号電圧の信号極性を、前記第２の表示パネルの前記表示画素を次回走査する際の前記第２のコモン信号電圧の信号極性と同極性に設定し、前記第２の表示パネルの前記表示画素を走査する期間においては、前記第１の表示パネルの共通電極に印加される第１のコモン信号電圧の信号極性を、前記第２のコモン信号電圧の信号極性と同極性に設定することを特徴とする。
【００２５】
請求項９記載の発明は、複数の表示画素を２次元配列してなる表示パネルを複数有する表示手段を備え、該表示パネルの各行の表示画素を順次走査し、所定の画像信号に基づく表示信号電圧及びコモン信号電圧をフレーム反転駆動、かつ、ライン反転駆動して、所望の画像情報を表示する表示装置の駆動制御方法において、少なくとも１走査期間中に、前記複数の表示パネルの各々において、該各表示パネルに設けられた走査ラインの本数の比に応じた数の行の前記表示画素を順次走査する制御動作を、該各表示パネル間で交互に繰り返す処理と、前記複数の表示パネルの前記表示画素を走査する際に、前記複数の表示パネルの各々において、前記コモン信号電圧の各信号極性の合計が均等になるように、前記コモン信号電圧の反転駆動回数を設定する処理と、を含むことを特徴とする。
【００２６】
請求項１０記載の発明は、請求項９記載の表示装置の駆動制御方法において、前記コモン信号電圧の反転駆動回数を設定する処理は、前記コモン信号電圧の反転駆動回数を、前記複数の表示パネルの各々に設けられた走査ラインの本数と同じになるように設定することを特徴とする。
【００２７】
請求項１１記載の発明は、請求項９又は１０記載の表示装置の駆動制御方法において、前記表示手段は、少なくとも、前記走査ラインの本数の比がｉ：ｊ（ｉ、ｊは任意の正の整数）となる第１の表示パネル及び第２の表示パネルを具備し、前記複数の表示パネルの各々において、前記表示画素を順次走査する制御動作を、交互に繰り返す処理は、前記１走査期間中に、前記第１の表示パネルにおいてｉ行分の前記表示画素を順次走査する動作と、前記第２の表示パネルにおいてｊ行分の前記表示画素を順次走査する動作と、を交互に繰り返すことを特徴とする。
【００２８】
請求項１２記載の発明は、請求項９又は１０記載の表示装置の駆動制御方法において、前記表示手段は、少なくとも、前記走査ラインの本数の比がｉ：ｊ（ｉ、ｊは任意の正の整数）に近似する第１の表示パネル及び第２の表示パネルを具備し、前記複数の表示パネルの各々において、前記表示画素を順次走査する制御動作を、交互に繰り返す処理は、前記１走査期間中に、前記第１の表示パネルにおいてｉ行分の前記表示画素を順次走査する動作と、前記第２の表示パネルにおいてｊ行分の前記表示画素を順次走査する動作と、を交互に繰り返すことを特徴とする。
【００２９】
請求項１３記載の発明は、請求項１１又は１２記載の表示装置の駆動制御方法において、前記コモン信号電圧の反転駆動回数を設定する処理は、前記第１の表示パネルの前記表示画素を走査する期間においては、前記第２の表示パネルの共通電極に印加される第２のコモン信号電圧の信号極性を、前記第２の表示パネルの前記表示画素を次回走査する際の前記第２のコモン信号電圧の信号極性と同極性に設定し、前記第２の表示パネルの前記表示画素を走査する期間においては、前記第１の表示パネルの共通電極に印加される第１のコモン信号電圧の信号極性を、前記第２のコモン信号電圧の信号極性と同極性に設定することを特徴とする。
【発明の効果】
【００３０】
すなわち、本発明に係る表示装置及びその駆動制御方法は、液晶表示画素等の複数の表示画素を２次元配列した、２以上の複数の表示パネル（例えば、第１の表示パネル及び第２の表示パネル）を有する表示手段と、該複数の表示パネルに共通に配設された信号ライン（データライン）群に接続された信号駆動部（データドライバ）と、複数の表示パネルに配設された各走査ライン群に個別に接続された複数の走査駆動部（走査ドライバ）と、複数の表示パネルの各々に設けられた共通電極に個別のコモン信号電圧を印加するコモン信号駆動部（コモン信号駆動回路）と、信号駆動部及び走査駆動部、コモン信号駆動部の動作状態を制御する制御部（ＬＣＤコントローラ）からなる表示駆動手段を備え、表示パネルの各行の表示画素を順次走査して選択駆動し、所定の画像信号に基づく表示信号電圧及びコモン信号電圧をフレーム反転駆動、かつ、ライン反転駆動により上記各行の表示画素に印加することにより、所望の画像情報を表示する表示装置において、上記表示駆動手段により、１フレーム期間に設けられる１走査期間中に、例えば、第１の表示パネル及び第２の表示パネルの各々に設けられた走査ラインの本数の比ｉ：ｊ（ｉ、ｊは任意の正の整数）に応じて、第１の表示パネルにおいてｉ行分の表示画素を順次走査する動作と、第２の表示パネルにおいてｊ行分の表示画素を順次走査する動作を、交互に繰り返すとともに、第１及び第２の表示パネルの各々に印加される第１及び第２のコモン信号電圧の各信号極性の合計が均等になるように、当該第１及び第２のコモン信号電圧の反転駆動回数を設定するように構成している。
【００３１】
ここで、第１及び第２のコモン信号電圧の反転駆動回数は、例えば、第１及び第２の表示パネルの各々に設けられた走査ラインの本数と同じになるように設定される。また、第１及び第２の表示パネルに設けられた走査ラインの本数の比が整数比にならない場合には、近似する整数比に基づいて、第１及び第２の表示パネル間でｉ行分及びｊ行分の表示画素を順次走査する動作を交互に繰り返すようにしてもよい。
【００３２】
これによれば、複数（２）の表示パネルに対して、フレーム反転駆動、かつ、ライン反転駆動方式により、表示信号電圧（輝度信号）及びコモン信号電圧を印加して、各表示画素を表示駆動させる場合、走査ラインの本数の比に応じて、各表示パネルにおいて所定数の行分（ｉ行分及びｊ行分）の表示画素を順次走査する制御動作を、複数の表示パネル間で交互に繰り返すとともに、表示パネルの各々に印加されるコモン信号電圧の各信号極性の合計が均等になるように、当該コモン信号電圧の反転駆動回数を設定することにより、表示画素を構成する液晶への直流成分の印加を抑制することができるとともに、コモン信号電圧の反転駆動回数を、各表示パネルの走査ライン数の総数分に比較して低減することができるので、コモン信号電圧の反転駆動に係る消費電力の削減を図ることができる。
【００３３】
特に、第１の表示パネルの表示画素を走査駆動するときには、第２の表示パネルに印加される第２のコモン信号電圧の信号極性を、当該第２の表示パネルの表示画素を次回走査駆動するときの第２のコモン信号電圧の信号極性と同極性に設定し、また、第２の表示パネルの表示画素を走査駆動するときには、第１の表示パネルに印加される第１のコモン信号電圧の信号極性を、第２のコモン信号電圧の信号極性と同極性に設定することにより、１走査期間において両表示パネルを走査駆動したときの第１の表示パネルに印加される第１のコモン信号電圧の反転駆動回数を、第１の表示パネルの走査ライン数と同じにすることができるとともに、第２の表示パネルに印加される第２のコモン信号電圧の反転駆動回数を、第２の表示パネルの走査ライン数と同じにすることができる（低減することができる）ので、コモン信号電圧の反転駆動に係る消費電力を一層削減することができる。
【発明を実施するための最良の形態】
【００３４】
以下に、本発明に係る表示装置及びその駆動制御方法の実施の形態を示して詳しく説明する。
＜全体構成＞
まず、本発明に係る表示装置の全体構成について説明する。
図１は、本発明に係る表示装置の一実施形態を示す全体構成図である。
【００３５】
本発明に係る表示装置は、図１に示すように、大別して、複数の液晶表示画素が２次元配列され、各々所定のパネルサイズを有するメイン表示パネル（第１の表示パネル）１０ｍ及びサブ表示パネル（第２の表示パネル）１０ｓと、メイン表示パネル１０ｍ及びサブ表示パネル１０ｓに共通して、列方向に延在するように配設されたデータライン群Ｌｄと、該データライン群Ｌｄに接続された唯一のデータドライバ（ソースドライバ；信号駆動部）２０と、メイン表示パネル１０ｍ及びサブ表示パネル１０ｓの各々の行方向に延在するように配設された走査ライン群Ｌsm、Ｌssと、メイン表示パネル１０ｍの走査ライン群Ｌsmに接続されたメイン走査ドライバ（図示の都合上、「メインドライバ」と記す；走査駆動部）３０ｍと、サブ表示パネル１０ｓの走査ライン群Ｌssに接続されたサブ走査ドライバ（図示の都合上、「サブドライバ」と記す；走査駆動部）３０ｓと、ＲＧＢデコーダ４１及び反転アンプ４２からなる表示信号生成回路４０と、メイン表示パネル１０ｍの共通電極（対向電極）にメインコモン信号電圧（第１のコモン信号電圧）Ｖcommを印加するメインコモン信号駆動回路（図示の都合上、「メイン駆動部」と記す；コモン信号駆動部）６０ｍと、サブ表示パネル１０ｓの共通電極にサブコモン信号電圧（第２のコモン信号電圧）Ｖcomsを印加するサブコモン信号駆動回路（図示の都合上、「サブ駆動部」と記す；コモン信号駆動部）６０ｓと、少なくとも上記データドライバ２０、メイン走査ドライバ３０ｍ、サブ走査ドライバ３０ｓ、メインコモン信号駆動回路６０ｍ及びサブコモン信号駆動回路６０ｓに所定の制御信号を供給するＬＣＤコントローラ（制御部）５０と、を備えて構成されている。
【００３６】
なお、図示を省略したが、上記メイン表示パネル１０ｍ及びサブ表示パネル１０ｓが透過型の液晶表示パネルからなる場合には、該メイン表示パネル１０ｍ及びサブ表示パネル１０ｓの背面側に、冷陰極線管等の光源、及び、アクリル板等の導光板からなるバックライトが設けられている。
【００３７】
以下、各構成について、詳しく説明する。
メイン表示パネル１０ｍ及びサブ表示パネル１０ｓは、いずれも周知のアクティブマトリクス型の駆動方式に対応したパネル構造を有する液晶表示パネルであって、各々、対向する透明基板間に、互いに直交する方向に配設されたデータライン群Ｌｄ及び走査ライン群Ｌｓと、データライン群Ｌｄ及び走査ライン群Ｌｓの各交点近傍に配置され、該データライン群Ｌｄ及び走査ライン群Ｌｓに各々接続された複数の液晶表示画素（画素トランジスタ、画素容量及び補助容量）と、を備えている。
【００３８】
ここで、図１においては、メイン表示パネル１０ｍ及びサブ表示パネル１０ｓに配設されるデータラインの本数を同一に設定した場合を示したが、従来技術（図６参照）に示したように、メイン表示パネル１０ｍに対してサブ表示パネル１０ｓに配設されるデータラインの本数が少なく設定されているものであってもよい。
【００３９】
なお、上記メイン表示パネル１０ｍ、サブ表示パネル１０ｓ、データライン群Ｌｄ及び走査ライン群Ｌｓは、例えば、単一のフレキシブルプリント基板上に搭載（マウント）された構成を有しているものであってもよく、さらには、後述するデータドライバ２０及びメイン走査ドライバ３０ｍ、サブ走査ドライバ３０ｓも当該フレキシブルプリント基板上に実装された構成を有するものであってもよい。
【００４０】
データドライバ２０は、上記メイン表示パネル１０ｍ及びサブ表示パネル１０ｓに共通に配設されたデータライン群Ｌｄが接続され、ＬＣＤコントローラ５０から供給される水平制御信号に基づいて、表示信号生成回路４０から供給される、例えば、Ｒ（赤）、Ｇ（緑）、Ｂ（青）各色の輝度信号（表示信号）を１行単位で取り込み保持し、該輝度信号に対応する表示信号電圧をデータライン群Ｌｄに一斉に供給する。
【００４１】
また、メイン走査ドライバ３０ｍ及びサブ走査ドライバ３０ｓは、各々、上記メイン表示パネル１０ｍ及びサブ表示パネル１０ｓに配設された各走査ライン群Ｌsm及びＬssが接続され、ＬＣＤコントローラ５０から出力される垂直制御信号に基づいて、メイン表示パネル１０ｍ及びサブ表示パネル１０ｓの各走査ラインに所定の走査信号（選択信号）を順次印加して選択状態とする。これにより、該選択タイミングに同期して、上記データライン群Ｌｄと交差する位置の液晶表示画素に、データドライバ２０から輝度信号に対応する表示信号電圧を印加することにより、当該行（走査ライン）の液晶表示画素に表示信号電圧が書き込まれる。
【００４２】
特に、本発明に係るメイン走査ドライバ３０ｍ及びサブ走査ドライバ３０ｓにおいては、パネルサイズ（走査ライン群の本数）が異なる２つのメイン表示パネル１０ｍ及びサブ表示パネル１０ｓに対して、当該パネルサイズ（走査ラインの本数）の比（ｉ：ｊ；ｉ、ｊは任意の正の整数）に応じたタイミングで、メイン表示パネル１０ｍのｉ行分の走査ラインに走査信号を順次印加して選択駆動した後、サブ表示パネル１０ｓのｊ行分の走査ラインに走査信号を順次印加して選択駆動する制御動作を、メイン表示パネル１０ｍ及びサブ表示パネル１０ｓ間で交互に繰り返すことにより、メイン表示パネル１０ｍ及びサブ表示パネル１０ｓの各行の液晶表示画素に輝度信号に応じた表示信号電圧を順次書き込むように構成されている。ここで、メイン走査ドライバ及びサブ走査ドライバを含む、本発明に係る表示駆動手段の機能については、後述する駆動制御方法において詳しく説明する。
【００４３】
なお、図１においては、本発明に係る表示装置の概略構成を示す機能ブロックを表しているので、各表示パネルに対応して設けられるメイン走査ドライバ３０ｍ及びサブ走査ドライバ３０ｓを個別の構成として示したが、これらの走査ドライバを単一のドライバチップに一体的に設けた構成を有するものであってもよいし、図示したように個別のドライバチップを設けた構成としてもよい。
【００４４】
表示信号生成回路４０を構成するＲＧＢデコーダ４１は、例えば、表示装置の外部から供給される画像入力信号からＲ、Ｇ、Ｂの各色信号（ＲＧＢ信号）を抽出し、反転アンプ４２に出力する。また、反転アンプ４２は、ＬＣＤコントローラ５０から供給される極性反転信号（フレーム／ライン反転信号）ＦＲＰｐに基づいて、ＲＧＢデコーダ４１により抽出されたＲＧＢ信号の極性を反転処理して、ＲＧＢ反転信号を生成してデータドライバ２０に輝度信号（アナログ信号）として出力する。
【００４５】
ＬＣＤコントローラ５０は、表示装置の外部から供給される（あるいは、ＲＧＢデコーダ４１により画像入力信号から抽出された）水平同期信号Ｈ及び垂直同期信号Ｖ等に基づいて、上記極性反転信号ＦＲＰｐ、及び、極性反転信号ＦＲＰｍ、ＦＲＰｓを生成して、反転アンプ４２及び後述するメインコモン信号駆動回路６０ｍ、サブコモン信号駆動回路６０ｓに個別に供給するとともに、水平制御信号及び垂直制御信号を生成して、各々、データドライバ２０及びメイン走査ドライバ３０ｍ、サブ走査ドライバ３０ｓに供給することにより、所定のタイミングで各液晶表示画素（画素電極側）に輝度信号に対応する表示信号電圧を印加して、メイン表示パネル１０ｍ及びサブ表示パネル１０ｓに画像入力信号に基づく所定の画像情報を表示させる制御を行う。
【００４６】
ここで、本実施形態に係るＬＣＤコントローラ５０は、データドライバ２０及びメイン走査ドライバ３０ｍ、サブ走査ドライバ３０ｓに供給する水平制御信号及び垂直制御信号、並びに、反転アンプ４２及びメインコモン信号駆動回路６０ｍ、サブコモン信号駆動回路６０ｓに供給する極性反転信号ＦＲＰｐ、ＦＲＰｍ、ＦＲＰｓを制御することにより、後述するような本実施形態特有の駆動制御動作を実行する。特に、メイン表示パネル１０ｍ及びサブ表示パネル１０ｓに表示信号電圧を書き込む走査期間に、メイン表示パネル１０ｍ及びサブ表示パネル１０ｓの各行を走査（走査ラインに走査信号を印加）する動作を、所定数の行ごとにメイン走査ドライバ３０ｍとサブ走査ドライバ３０ｓとの間で切り替えて、交互に繰り返すように垂直制御信号を設定する。
【００４７】
メインコモン信号駆動回路６０ｍ及びサブコモン信号駆動回路６０ｓは、各々、上記メイン表示パネル１０ｍ及びサブ表示パネル１０ｓに設けられた共通電極に接続され、ＬＣＤコントローラ５０から出力される極性反転信号ＦＲＰｍ、ＦＲＰｓに基づいて、メイン表示パネル１０ｍ及びサブ表示パネル１０ｓの各液晶表示画素（画素電極）に印加される表示信号電圧に対して、信号極性が反転するように設定されたメインコモン信号電圧Ｖcomm、サブコモン信号電圧Ｖcomsを各共通電極に印加する。
【００４８】
次に、上述した構成を有する表示装置における駆動制御動作について、図面を参照して説明する。ここで、以下に示す駆動制御動作（表示駆動制御方法）は、上述したＬＣＤコントローラ５０から供給される各種の制御信号に基づいて実行される。
＜第１の実施形態＞
図２は、本発明に係る液晶表示装置における駆動制御動作（駆動制御方法）の第１の実施形態を示すタイミングチャートである。ここでは、上述した構成を有する表示装置（図１参照）において、メイン表示パネル１０ｍに配設される走査ライン数が３２０本、サブ表示パネル１０ｓに配設される走査ラインの数が１６０本に設定され、パネルサイズ（走査ライン数）の比が２：１の場合の駆動制御方法について説明する。なお、データライン数は、メイン表示パネル１０ｍ及びサブ表示パネル１０ｓのいずれにおいても、任意であって、本実施形態では同数であるとする。
【００４９】
本実施形態に係る表示装置の駆動制御方法は、図２に示すように、１フレーム期間内の１走査期間において、まず、タイミングＴ１でメイン走査ドライバ３０ｍがＬＣＤコントローラ５０から供給される垂直制御信号に基づいて、メイン表示パネル１０ｍの１行目の走査ラインにハイレベルの走査信号Ｓ１ｍを印加し、次いで、タイミングＴ２で２行目の走査ラインにハイレベルの走査信号Ｓ２ｍを順次印加する。
【００５０】
このタイミングに同期して、タイミングＴ１でデータドライバ２０からメイン表示パネル１０ｍの１行目の液晶表示画素に対応する表示信号電圧を、また、タイミングＴ２でメイン表示パネル１０ｍの２行目の液晶表示画素に対応する表示信号電圧を、各データラインを介して一斉に印加することにより、所定の輝度信号をメイン表示パネル１０ｍの１行目及び２行目に順次書き込む。
【００５１】
ここで、タイミングＴ１で印加される表示信号電圧は、所定の表示中心電圧に対して正極性となる信号電圧に設定され、タイミングＴ２で印加される表示信号電圧は、当該表示中心電圧に対して負極性となる信号電圧に設定される。また、メインコモン信号駆動回路６０ｍからメイン表示パネル１０ｍの共通電極に印加されるメインコモン信号電圧Ｖcommは、上記タイミングＴ１でコモン信号中心電圧Ｖcomcに対して負極性となる信号電圧（ローレベル）に設定され、タイミングＴ２で当該コモン信号中心電圧Ｖcomcに対して正極性（ハイレベル）となる信号電圧に設定される。
【００５２】
一方、このタイミングＴ１、Ｔ２においては、サブ表示パネル１０ｓ側では、表示データの書込み動作は行われないので、ＬＣＤコントローラ５０から供給される垂直制御信号に基づいて、サブ表示パネル１０ｓの各走査ラインには、サブ走査ドライバ３０ｓからローレベルの走査信号Ｓ１ｓ〜Ｓ１６０ｓが印加されるとともに、ＬＣＤコントローラ５０から供給される極性反転信号ＦＲＰｓに基づいて、サブ表示パネル１０ｓの共通電極には、サブメインコモン信号駆動回路６０ｓからハイ、ローのいずれかの信号レベルを有するサブコモン信号電圧Ｖcomsが印加され、さらに、連続するタイミングＴ１、Ｔ２の期間中、例えば、同一の信号レベル（図２ではローレベル）のサブコモン信号電圧Ｖcomsが継続して印加されるように制御される。
【００５３】
次いで、タイミングＴ３でサブ走査ドライバ３０ｓがＬＣＤコントローラ５０から供給される垂直制御信号に基づいて、サブ表示パネル１０ｓの１行目の走査ラインに対して、ハイレベルの走査信号Ｓ１ｓを印加する。
このタイミングＴ３に同期して、データドライバ２０からサブ表示パネル１０ｓの１行目の液晶表示画素に対応する正極性の表示信号電圧を、各データラインを介して一斉に印加することにより、所定の輝度信号をサブ表示パネル１０ｓの１行目に書き込む。ここで、サブ表示パネル１０ｓの共通電極にはサブコモン信号駆動回路６０ｓからローレベルのサブコモン信号電圧Ｖcomsが印加される。これにより、タイミングＴ１〜Ｔ３の期間で同一の信号レベル（ローレベル）を有するサブコモン信号電圧Ｖcomsが継続して印加される。
【００５４】
一方、このタイミングＴ３においては、メイン表示パネル１０ｍ側では、表示データの書込み動作は行われないので、ＬＣＤコントローラ５０から供給される垂直制御信号に基づいて、メイン表示パネル１０ｍの各走査ラインには、メイン走査ドライバ３０ｍからローレベルの走査信号Ｓ１ｍ〜Ｓ３２０ｍが印加されるとともに、ＬＣＤコントローラ５０から供給される極性反転信号ＦＲＰｍに基づいて、メイン表示パネル１０ｍの共通電極には、メインコモン信号駆動回路６０ｍからハイ、ローのいずれかの信号レベル（図２ではローレベル）を有するメインコモン信号電圧Ｖcommが印加される。
【００５５】
次いで、タイミングＴ４、Ｔ５でメイン走査ドライバ３０ｍが垂直制御信号に基づいて、メイン表示パネル１０ｍの３、４行目の走査ラインに対して、ハイレベルの走査信号Ｓ３ｍ、Ｓ４ｍを順次印加する。
このタイミングに同期して、タイミングＴ４でデータドライバ２０からメイン表示パネル１０ｍの３行目の液晶表示画素に対応する正極性の表示信号電圧を、また、タイミングＴ５でメイン表示パネル１０ｍの４行目の液晶表示画素に対応する負極性の表示信号電圧を、各データラインを介して一斉に印加することにより、所定の輝度信号を３行目及び４行目に順次書き込む。ここで、メイン表示パネル１０ｍの共通電極には、メインコモン信号駆動回路６０ｍから、タイミングＴ４でローレベル、また、タイミングＴ５でハイレベルとなるメインコモン信号電圧Ｖcommが順次印加される。これにより、タイミングＴ３、Ｔ４の期間で同一の信号レベル（ローレベル）を有するメインコモン信号電圧Ｖcommが継続して印加される。
【００５６】
すなわち、タイミングＴ１、Ｔ２、Ｔ４、Ｔ５、Ｔ７、Ｔ８、・・・に着目すると、メイン表示パネル１０ｍの各行の液晶表示画素の画素電極に、正極性と負極性の表示信号電圧が交互に印加されるとともに、メイン表示パネル１０ｍの共通電極に、ローレベルとハイレベルのメインコモン信号電圧Ｖcommが交互に印加されることになり、メイン表示パネル１０ｍにおいて、ライン（行）反転駆動が実行される。
【００５７】
一方、タイミングＴ４、Ｔ５においては、サブ表示パネル１０ｓ側では、垂直制御信号に基づいてサブ走査ドライバ３０ｓから、各走査ラインにローレベルの走査信号Ｓ１ｓ〜Ｓ１６０ｓが印加されるとともに、極性反転信号ＦＲＰｓに基づいてサブコモン信号駆動回路６０ｓから、共通電極にハイ、ローのいずれかの信号レベル（図２ではハイレベル）を有するサブコモン信号電圧Ｖcomsが継続して印加される。
【００５８】
次いで、タイミングＴ６でサブ走査ドライバ３０ｓが垂直制御信号に基づいて、サブ表示パネル１０ｓの２行目の走査ラインに対して、ハイレベルの走査信号Ｓ２ｓを印加する。
このタイミングＴ６に同期して、データドライバ２０からサブ表示パネル１０ｓの２行目の液晶表示画素に対応する負極性の表示信号電圧を、各データラインを介して一斉に印加することにより、所定の輝度信号をサブ表示パネル１０ｓの２行目に書き込む。ここで、サブ表示パネル１０ｓの共通電極にはサブコモン信号駆動回路６０ｓからハイレベルのサブコモン信号電圧Ｖcomsが印加される。これにより、タイミングＴ４〜Ｔ６の期間で同一の信号レベル（ハイレベル）を有するサブコモン信号電圧Ｖcomsが継続して印加される。
【００５９】
すなわち、上述したタイミングＴ３、Ｔ６、Ｔ９、・・・に着目すると、サブ表示パネル１０ｓの各行の液晶表示画素の画素電極に、正極性と負極性の表示信号電圧が交互に印加されるとともに、サブ表示パネル１０ｓの共通電極に、ローレベルとハイレベルのサブコモン信号電圧Ｖcomsが交互に印加されることになり、サブ表示パネル１０ｓにおいて、ライン（行）反転駆動が実行される。
【００６０】
一方、このタイミングＴ６においては、メイン表示パネル１０ｍ側では、垂直制御信号に基づいてメイン走査ドライバ３０ｍから、メイン表示パネル１０ｍの各走査ラインに、ローレベルの走査信号Ｓ１ｍ〜Ｓ３２０ｍが印加されるとともに、極性反転信号ＦＲＰｍに基づいてメインコモン信号駆動回路６０ｍから、メイン表示パネル１０ｍの共通電極に、ハイ、ローのいずれかの信号レベル（図２ではハイレベル）を有するメインコモン信号電圧Ｖcommが印加される。これにより、タイミングＴ５、Ｔ６の期間で同一の信号レベル（ハイレベル）を有するメインコモン信号電圧Ｖcommが継続して印加される。
【００６１】
以下、メイン表示パネル１０ｍの２行分の走査ラインを選択駆動した後、サブ表示パネル１０ｓの１行分の走査ラインを選択駆動する、同様の制御動作をタイミングＴ４８０まで交互に繰り返し実行することにより、１フレーム期間内の１走査期間（表示期間）に、３２０本の走査ラインを有するメイン表示パネル１０ｍ、及び、１６０本の走査ラインを有するサブ表示パネル１０ｓの双方に所望の輝度信号（表示信号電圧）を書き込んで、画像情報として表示することができる。
【００６２】
また、上述した１走査期間におけるメイン表示パネル１０ｍ及びサブ表示パネル１０ｓの各行の液晶表示画素（画素電極及び共通電極）に印加される表示信号電圧及びメインコモン信号電圧Ｖcomm、サブコモン信号電圧Ｖcomsについて、１フレーム期間内の１走査期間終了後に設けられる垂直帰線期間（非表示期間）に、上記走査期間における各タイミングＴ１〜Ｔ４８０と同一の時間幅で奇数タイミング（例えば、３タイミング）を割り当てることにより、次の１フレーム期間（走査期間）における各々の信号極性が反転されることになり、メイン表示パネル１０ｍ及びサブ表示パネル１０ｓにおいて、フレーム反転駆動が実行される。
【００６３】
また、図２に示したように、例えば、サブ表示パネル１０ｓを走査駆動するときの、メイン表示パネル１０ｍ側のメインコモン信号電圧Ｖcommの信号極性を、サブ表示パネル１０ｓのサブコモン信号電圧Ｖcomsの信号極性と同極性に設定し、また、メイン表示パネル１０ｍを走査駆動するときの、サブ表示パネル１０ｓ側のサブコモン信号電圧Ｖcomsの信号極性を、次回走査駆動される際のサブ表示パネル１０ｓのサブコモン信号電圧Ｖcomsの信号極性と同極性に設定することにより、１走査期間において両表示パネルを走査駆動したときのメイン表示パネル１０ｍに印加されるメインコモン信号電圧Ｖcommの反転駆動回数を、メイン表示パネル１０ｍの走査ライン数と同じにすることができるとともに、サブ表示パネル１０ｓに印加されるサブコモン信号電圧Ｖcomsの反転駆動回数を、サブ表示パネル１０ｓの走査ライン数と同じにすることができる。
【００６４】
なお、一方の表示パネルを走査駆動する際に、他方の表示パネルの共通電極に印加されるコモン信号電圧の信号極性は、上述したような一方の表示パネルの共通電極に印加されるコモン信号電圧の信号極性と同極性に設定するものに限定されるものではなく、例えば、逆極性に設定するものや、任意の所定回数ごとに１回だけ逆極性に設定するものであってもよい。要するに、メイン表示パネル及びサブ表示パネルにおける１画面分の輝度信号の書き込み期間（１走査期間）中に、各コモン信号電圧の信号極性の合計に偏りが生じない（すなわち、正極性と負極性の回数が同一になる）ように設定されるものであれば、他の手法を適用するものであってもよい。
【００６５】
したがって、従来、２つの表示パネルを備えた表示装置において、フレーム反転駆動、かつ、ライン反転駆動方式により、各表示パネルを順次走査駆動して輝度信号を書き込む場合、各表示パネルの共通電極に個別に印加するコモン信号電圧のいずれも、双方の表示パネルに配設された走査ラインの総数に対応する回数だけ反転駆動させる必要があったが、本実施形態に係る表示装置、及び、該表示装置に適用される表示駆動手段（図１に示した表示装置の各構成のうち、少なくともメイン表示パネル及びサブ表示パネルを除いた構成）並びにその駆動制御方法によれば、メイン表示パネル側ではコモン信号電圧をメイン表示パネルに配設された走査ライン数に対応する回数だけ反転駆動させればよく、また、サブ表示パネル側においてもコモン信号電圧をサブ表示パネルに配設された走査ライン数に対応する回数だけ反転駆動させればよいので、コモン信号電圧の反転駆動に係る駆動周期（周波数）を低減して、消費電力の削減を図ることができる。
また、メイン表示パネル及びサブ表示パネルを、フレーム反転駆動、かつ、ライン反転駆動することができるので、表示画素を構成する液晶の劣化や焼き付き、フリッカによる表示画質の劣化等を抑制することができる。
【００６６】
＜第２の実施形態＞
次に、上述した構成を有する表示装置における駆動制御動作の第２の実施形態について、図面を参照して説明する。
図３は、本発明に係る液晶表示装置における駆動制御動作（駆動制御方法）の第２の実施形態を示すタイミングチャートである。なお、上述した第１の実施形態と同等の制御動作については、その説明を簡略化又は省略する。
【００６７】
本実施形態においては、上述した構成を有する表示装置（図１参照）において、メイン表示パネル１０ｍに配設される走査ライン数が３２０本、サブ表示パネル１０ｓに配設される走査ラインの数が１０７本に設定され、パネルサイズ（走査ライン数）の比が概ね３：１の場合について説明する。なお、本実施形態においても、データライン数は任意であり、ここでは同数であるとする。
【００６８】
本実施形態に係る表示装置の駆動制御方法は、図３に示すように、１フレーム期間内の１走査期間において、まず、タイミングＴ１〜Ｔ３でメイン走査ドライバ３０ｍから、メイン表示パネル１０ｍの１行目〜３行目の走査ラインに対して、ハイレベルの走査信号Ｓ１ｍ〜Ｓ３ｍを順次印加する。
【００６９】
このタイミングＴ１〜Ｔ３の各々に同期して、データドライバ２０からメイン表示パネル１０ｍの１行目〜３行目の各液晶表示画素に対応する表示信号電圧を、各データラインを介して順次印加することにより、メイン表示パネル１０ｍの１行目〜３行目に所定の輝度信号が順次書き込まれる。
【００７０】
ここで、タイミングＴ１〜Ｔ３でデータドライバ２０から印加される表示信号電圧は、各々、正、負、正の各極性となる信号電圧に設定され、また、メインコモン信号駆動回路６０ｍからメイン表示パネル１０ｍの共通電極に印加されるメインコモン信号電圧Ｖcommは、各々、負、正、負の各極性となる信号電圧に設定される。
【００７１】
一方、このタイミングＴ１〜Ｔ３においては、サブ表示パネル１０ｓ側では、表示データの書込み動作は行われないので、サブ表示パネル１０ｓの各走査ラインには、サブ走査ドライバ３０ｓからローレベルの走査信号Ｓ１ｓ〜Ｓ１０７ｓが印加されるとともに、サブ表示パネル１０ｓの共通電極には、サブメインコモン信号駆動回路６０ｓからハイ、ローのいずれかの信号レベル（図３ではローレベル）のサブコモン信号電圧Ｖcomsが継続して印加される。
【００７２】
次いで、タイミングＴ４でサブ走査ドライバ３０ｓから、サブ表示パネル１０ｓの１行目の走査ラインに対して、ハイレベルの走査信号Ｓ１ｓを印加する。
このタイミングＴ４に同期して、データドライバ２０からサブ表示パネル１０ｓの１行目の液晶表示画素に対応する正極性の表示信号電圧を、各データラインを介して一斉に印加することにより、所定の輝度信号をサブ表示パネル１０ｓの１行目に書き込む。ここで、サブ表示パネル１０ｓの共通電極にはサブコモン信号駆動回路６０ｓからローレベルのサブコモン信号電圧Ｖcomsが印加され、これにより、タイミングＴ１〜Ｔ４の期間で同一の信号レベル（ローレベル）を有するサブコモン信号電圧Ｖcomsが継続して印加される。
【００７３】
一方、このタイミングＴ４においては、メイン表示パネル１０ｍ側では、表示データの書込み動作は行われないので、各走査ラインにはメイン走査ドライバ３０ｍからローレベルの走査信号Ｓ１ｍ〜Ｓ３２０ｍが印加されるとともに、メイン表示パネル１０ｍの共通電極には、メインコモン信号駆動回路６０ｍからハイ、ローのいずれかの信号レベル（図３ではローレベル）を有するメインコモン信号電圧Ｖcommが印加される。これにより、タイミングＴ３、Ｔ４の期間で同一の信号レベル（ローレベル）を有するメインコモン信号電圧Ｖcommが継続して印加される。
【００７４】
次いで、タイミングＴ５〜Ｔ７でメイン走査ドライバ３０ｍから、メイン表示パネル１０ｍの４行目〜６行目の走査ラインに対して、ハイレベルの走査信号Ｓ４ｍ〜Ｓ６ｍを順次印加するとともに、このタイミングＴ５〜Ｔ７の各々に同期して、データドライバ２０からメイン表示パネル１０ｍの４行目〜６行目の各液晶表示画素に対応する表示信号電圧を、各データラインを介して順次印加することにより、メイン表示パネル１０ｍの４行目〜６行目に所定の輝度信号が順次書き込まれる。
【００７５】
ここで、タイミングＴ５〜Ｔ７でデータドライバ２０から印加される表示信号電圧は、各々、負、正、負の各極性となる信号電圧に設定され、また、メインコモン信号駆動回路６０ｍからメイン表示パネル１０ｍの共通電極に印加されるメインコモン信号電圧Ｖcommは、各々、正、負、正の各極性となる信号電圧信号電圧に設定される。
【００７６】
すなわち、タイミングＴ１〜Ｔ３、Ｔ５〜Ｔ７、Ｔ９〜、・・・に着目すると、メイン表示パネル１０ｍの各行の液晶表示画素の画素電極に、正極性と負極性の表示信号電圧が交互に印加されるとともに、メイン表示パネル１０ｍの共通電極に、ローレベルとハイレベルのメインコモン信号電圧Ｖcommが交互に印加されることになり、メイン表示パネル１０ｍにおいて、ライン（行）反転駆動が実行される。
【００７７】
一方、タイミングＴ５〜Ｔ７においては、サブ表示パネル１０ｓ側では、サブ走査ドライバ３０ｓから、各走査ラインにローレベルの走査信号Ｓ１ｓ〜Ｓ１０７ｓが印加されるとともに、極性反転信号ＦＲＰｓに基づいてサブコモン信号駆動回路６０ｓから、共通電極にハイ、ローのいずれかの信号レベル（図３ではハイレベル）を有するサブコモン信号電圧Ｖcomsが継続して印加される。
【００７８】
次いで、タイミングＴ８でサブ走査ドライバ３０ｓから、サブ表示パネル１０ｓの２行目の走査ラインに対して、ハイレベルの走査信号Ｓ２ｓを印加する。
このタイミングＴ８に同期して、データドライバ２０からサブ表示パネル１０ｓの２行目の液晶表示画素に対応する負極性の表示信号電圧を、各データラインを介して一斉に印加することにより、所定の輝度信号をサブ表示パネル１０ｓの２行目に書き込む。ここで、サブ表示パネル１０ｓの共通電極にはサブコモン信号駆動回路６０ｓからハイレベルのサブコモン信号電圧Ｖcomsが印加され、これにより、タイミングＴ５〜Ｔ８の期間で同一の信号レベル（ハイレベル）を有するサブコモン信号電圧Ｖcomsが継続して印加される。
【００７９】
すなわち、上述したタイミングＴ４、Ｔ８、・・・に着目すると、サブ表示パネル１０ｓの各行の液晶表示画素の画素電極に、正極性と負極性の表示信号電圧が交互に印加されるとともに、サブ表示パネル１０ｓの共通電極に、ローレベルとハイレベルのサブコモン信号電圧Ｖcomsが交互に印加されることになり、サブ表示パネル１０ｓにおいても、ライン（行）反転駆動が実行される。
【００８０】
一方、このタイミングＴ８においては、メイン表示パネル１０ｍ側では、メイン走査ドライバ３０ｍから各走査ラインに、ローレベルの走査信号Ｓ１ｍ〜Ｓ３２０ｍが印加されるとともに、メインコモン信号駆動回路６０ｍから共通電極に、ハイ、ローのいずれかの信号レベル（図３ではハイレベル）を有するメインコモン信号電圧Ｖcommが印加される。これにより、タイミングＴ７、Ｔ８の期間で同一の信号レベル（ハイレベル）を有するメインコモン信号電圧Ｖcommが継続して印加される。
【００８１】
以下、メイン表示パネル１０ｍの３行分の走査ラインを選択駆動した後、サブ表示パネル１０ｓの１行分の走査ラインを選択駆動する、同様の制御動作をタイミングＴ４２８（タイミングＴ４２７はタイミング調整用のダミー期間）まで交互に繰り返し実行することにより、１フレーム期間内の１走査期間（表示期間）に、３２０本の走査ラインを有するメイン表示パネル１０ｍ、及び、１０７本の走査ラインを有するサブ表示パネル１０ｓの双方に所望の輝度信号（表示信号電圧）を書き込んで、画像情報として表示することができる。
【００８２】
また、上述した１フレーム期間（１走査期間）における駆動制御方法によれば、メイン表示パネル１０ｍ及びサブ表示パネル１０ｓの各行の液晶表示画素（画素電極及び共通電極）に印加される表示信号電圧及びメインコモン信号電圧Ｖcomm、サブコモン信号電圧Ｖcomsの各々の信号極性が、次のフレーム期間では反転されることになり、メイン表示パネル１０ｍ及びサブ表示パネル１０ｓにおいて、フレーム反転駆動が実行される。
【００８３】
そして、図３に示したように、例えば、サブ表示パネル１０ｓを走査駆動するときの、メイン表示パネル１０ｍ側のメインコモン信号電圧Ｖcommの信号極性を、サブ表示パネル１０ｓのサブコモン信号電圧Ｖcomsの信号極性と同極性に設定し、また、メイン表示パネル１０ｍを走査駆動するときの、サブ表示パネル１０ｓ側のサブコモン信号電圧Ｖcomsの信号極性を、次回走査駆動される際のサブ表示パネル１０ｓのサブコモン信号電圧Ｖcomsの信号極性と同極性に設定することにより、１走査期間にメイン表示パネル１０ｍに印加されるメインコモン信号電圧Ｖcommの反転駆動回数を、メイン表示パネル１０ｍの走査ライン数と同じにすることができるとともに、サブ表示パネル１０ｓに印加されるサブコモン信号電圧Ｖcomsの反転駆動回数を、サブ表示パネル１０ｓの走査ライン数と同じにすることができる。
【００８４】
したがって、メイン表示パネル及びサブ表示パネルのパネルサイズ（走査ライン数）を３：１に設定した場合であっても、上述した第１の実施形態と同様に、メイン表示パネル及びサブ表示パネルに個別に印加するコモン信号電圧を、各々、メイン表示パネル又はサブ表示パネルに配設された走査ライン数に対応する回数だけ反転駆動させればよいので、コモン信号電圧の反転駆動に係る駆動周期（周波数）を低減して、消費電力の削減を図ることができるとともに、メイン表示パネル及びサブ表示パネルを、フレーム反転駆動、かつ、ライン反転駆動することができるので、表示画素を構成する液晶の劣化や焼き付き、フリッカによる表示画質の劣化等を抑制することができる。
【００８５】
＜第３の実施形態＞
次に、上述した構成を有する表示装置における駆動制御動作の第３の実施形態について、図面を参照して簡単に説明する。
図４は、本発明に係る液晶表示装置における駆動制御動作（駆動制御方法）の第３の実施形態を示すタイミングチャートである。なお、上述した第１及び第２の実施形態と同等の制御動作については、その説明を簡略化又は省略する。
【００８６】
本実施形態においては、上述した構成を有する表示装置（図１参照）において、メイン表示パネル１０ｍに配設される走査ライン数が３２０本、サブ表示パネル１０ｓに配設される走査ラインの数が８０本に設定され、パネルサイズ（走査ライン数）の比が４：１の場合について説明する。
【００８７】
本実施形態に係る表示装置の駆動制御方法は、図４に示すように、１フレーム期間内の１走査期間において、タイミングＴ１〜Ｔ４でメイン走査ドライバ３０ｍから、メイン表示パネル１０ｍの１行目〜４行目の走査ラインに対して、ハイレベルの走査信号Ｓ１ｍ〜Ｓ４ｍを順次印加し、このタイミングＴ１〜Ｔ４で、データドライバ２０から当該１行目〜４行目の各液晶表示画素に対応する表示信号電圧を、各データラインを介して順次印加することにより、メイン表示パネル１０ｍの１行目〜４行目に所定の輝度信号が順次書き込まれる。
【００８８】
次いで、タイミングＴ５でサブ走査ドライバ３０ｓから、サブ表示パネル１０ｓの１行目の走査ラインに対して、ハイレベルの走査信号Ｓ１ｓを印加し、このタイミングＴ５で、データドライバ２０から当該１行目の液晶表示画素に対応する表示信号電圧を、各データラインを介して一斉に印加することにより、サブ表示パネル１０ｓの１行目に所定の輝度信号を書き込む。
【００８９】
以下同様に、メイン表示パネル１０ｍの４行分の走査ラインを選択駆動した後、サブ表示パネル１０ｓの１行分の走査ラインを選択駆動する、同様の制御動作をタイミングＴ４００まで交互に繰り返し実行することにより、１フレーム期間内の１走査期間（表示期間）に、３２０本の走査ラインを有するメイン表示パネル１０ｍ、及び、８０本の走査ラインを有するサブ表示パネル１０ｓの双方に所望の輝度信号（表示信号電圧）を書き込んで、画像情報として表示することができる。
【００９０】
上述したような駆動制御動作においても、図４に示すように、タイミングＴ１〜Ｔ４、Ｔ６〜Ｔ９、Ｔ１１〜、・・・では、メイン表示パネル１０ｍの各行の液晶表示画素の画素電極に、正極性と負極性の表示信号電圧が交互に印加されるとともに、メイン表示パネル１０ｍの共通電極に、ローレベルとハイレベルのメインコモン信号電圧Ｖcommが交互に印加されることになり、メイン表示パネル１０ｍにおいて、ライン（行）反転駆動が実行される。
【００９１】
また、タイミングＴ５、Ｔ１０、・・・では、サブ表示パネル１０ｓの各行の液晶表示画素の画素電極に、正極性と負極性の表示信号電圧が交互に印加されるとともに、サブ表示パネル１０ｓの共通電極に、ローレベルとハイレベルのサブコモン信号電圧Ｖcomsが交互に印加されることになり、サブ表示パネル１０ｓにおいても、ライン（行）反転駆動が実行される。
【００９２】
さらに、上述した１走査期間におけるメイン表示パネル１０ｍ及びサブ表示パネル１０ｓの各行の液晶表示画素（画素電極及び共通電極）に印加される表示信号電圧及びメインコモン信号電圧Ｖcomm、サブコモン信号電圧Ｖcomsについて、１フレーム期間内の垂直帰線期間（非表示期間）に、上記各タイミングＴ１〜Ｔ４００と同一の時間幅で奇数タイミング（例えば、５タイミング）を割り当てることにより、次の１フレーム期間（走査期間）における各々の信号極性が反転されることになり、メイン表示パネル１０ｍ及びサブ表示パネル１０ｓにおいて、フレーム反転駆動が実行される。
【００９３】
そして、図４に示すように、例えば、サブ表示パネル１０ｓを走査駆動するときの、メイン表示パネル１０ｍ側のメインコモン信号電圧Ｖcommの信号極性を、サブ表示パネル１０ｓのサブコモン信号電圧Ｖcomsの信号極性と同極性に設定し、また、メイン表示パネル１０ｍを走査駆動するときの、サブ表示パネル１０ｓ側のサブコモン信号電圧Ｖcomsの信号極性を、次回走査駆動される際のサブ表示パネル１０ｓのサブコモン信号電圧Ｖcomsの信号極性と同極性に設定することにより、１走査期間にメイン表示パネル１０ｍに印加されるメインコモン信号電圧Ｖcommの反転駆動回数を、メイン表示パネル１０ｍの走査ライン数と同じにすることができるとともに、サブ表示パネル１０ｓに印加されるサブコモン信号電圧Ｖcomsの反転駆動回数を、サブ表示パネル１０ｓの走査ライン数と同じにすることができる。
【００９４】
したがって、メイン表示パネル及びサブ表示パネルのパネルサイズ（走査ライン数）を４：１に設定した場合であっても、上述した第１及び第２の実施形態と同様に、メイン表示パネル及びサブ表示パネルに個別に印加するコモン信号電圧を、各々、メイン表示パネル又はサブ表示パネルに配設された走査ライン数に対応する回数だけ反転駆動させればよいので、コモン信号電圧の反転駆動に係る駆動周期（周波数）を低減して、消費電力の削減を図ることができるとともに、メイン表示パネル及びサブ表示パネルを、フレーム反転駆動、かつ、ライン反転駆動することができるので、表示画素を構成する液晶の劣化や焼き付き、フリッカによる表示画質の劣化等を抑制することができる。
【００９５】
＜第４の実施形態＞
次に、上述した構成を有する表示装置における駆動制御動作の第４の実施形態について、図面を参照して簡単に説明する。
図５は、本発明に係る液晶表示装置における駆動制御動作（駆動制御方法）の第４の実施形態を示すタイミングチャートである。なお、上述した第１乃至第３の実施形態と同等の制御動作については、その説明を簡略化又は省略する。
【００９６】
本実施形態においては、上述した構成を有する表示装置（図１参照）において、メイン表示パネル１０ｍに配設される走査ライン数が１６０本、サブ表示パネル１０ｓに配設される走査ラインの数が１６０本に設定され、パネルサイズ（走査ライン数）の比が１：１の場合について説明する。
【００９７】
本実施形態に係る表示装置の駆動制御方法は、図５に示すように、１フレーム期間内の１走査期間において、タイミングＴ１、Ｔ３、Ｔ５、・・・でメイン走査ドライバ３０ｍから、メイン表示パネル１０ｍの１行目、２行目、３行目、・・・の各走査ラインに対して、ハイレベルの走査信号Ｓ１ｍ、Ｓ２ｍ、Ｓ３ｍ、・・・が順次印加され、また、タイミングＴ２、Ｔ４、Ｔ６、・・・でサブ走査ドライバ３０ｓから、サブ表示パネル１０ｓの１行目、２行目、３行目、・・・の各走査ラインに対して、ハイレベルの走査信号Ｓ１ｓ、Ｓ２ｓ、Ｓ３ｓ、・・・が順次印加される。
【００９８】
ここで、タイミングＴ１、Ｔ３、Ｔ５、・・・においては、データドライバ２０からメイン表示パネル１０ｍの１行目、２行目、３行目、・・・の各液晶表示画素に対応する表示信号電圧が、各データラインを介して順次印加されることにより、メイン表示パネル１０ｍの各行に所定の輝度信号が順次書き込まれ、タイミングＴ２、Ｔ４、Ｔ６、・・・においては、データドライバ２０からサブ表示パネル１０ｓの１行目、２行目、３行目、・・・の各液晶表示画素に対応する表示信号電圧が、各データラインを介して順次印加されることにより、サブ表示パネル１０ｓの各行に所定の輝度信号が順次書き込まれる。
これにより、１フレーム期間内の１走査期間（表示期間）に、各々１６０本の走査ラインを有するメイン表示パネル１０ｍ及びサブ表示パネル１０ｓの双方に所望の輝度信号（表示信号電圧）が書き込まれ、画像情報として表示される。
【００９９】
また、上述したような駆動制御動作においても、図５に示すように、タイミングＴ１、Ｔ３、Ｔ５、・・・で、メイン表示パネル１０ｍの各行の液晶表示画素の画素電極に、正極性と負極性の表示信号電圧が交互に印加されるとともに、メイン表示パネル１０ｍの共通電極に、ローレベルとハイレベルのメインコモン信号電圧Ｖcommが交互に印加されることになり、メイン表示パネル１０ｍにおいて、ライン（行）反転駆動が実行され、また、タイミングＴ２、Ｔ４、Ｔ６、・・・で、サブ表示パネル１０ｓの各行の液晶表示画素の画素電極に、正極性と負極性の表示信号電圧が交互に印加されるとともに、サブ表示パネル１０ｓの共通電極に、ローレベルとハイレベルのサブコモン信号電圧Ｖcomsが交互に印加されることになり、サブ表示パネル１０ｓにおいても、ライン（行）反転駆動が実行される。
【０１００】
さらに、上述した１走査期間におけるメイン表示パネル１０ｍ及びサブ表示パネル１０ｓの各行の液晶表示画素（画素電極及び共通電極）に印加される表示信号電圧及びメインコモン信号電圧Ｖcomm、サブコモン信号電圧Ｖcomsについて、１フレーム期間内の垂直帰線期間（非表示期間）に、上記各タイミングＴ１〜Ｔ３２０と同一の時間幅で奇数タイミング（例えば、３タイミング）を割り当てることにより、次の１フレーム期間（走査期間）における各々の信号極性が反転されることになり、メイン表示パネル１０ｍ及びサブ表示パネル１０ｓにおいて、フレーム反転駆動が実行される。
【０１０１】
そして、図５に示すように、例えば、サブ表示パネル１０ｓを走査駆動するときの、メイン表示パネル１０ｍ側のメインコモン信号電圧Ｖcommの信号極性を、サブ表示パネル１０ｓのサブコモン信号電圧Ｖcomsの信号極性と同極性に設定し、また、メイン表示パネル１０ｍを走査駆動するときの、サブ表示パネル１０ｓ側のサブコモン信号電圧Ｖcomsの信号極性を、次回走査駆動される際のサブ表示パネル１０ｓのサブコモン信号電圧Ｖcomsの信号極性と同極性に設定することにより、１走査期間にメイン表示パネル１０ｍに印加されるメインコモン信号電圧Ｖcommの反転駆動回数を、メイン表示パネル１０ｍの走査ライン数と同じにすることができるとともに、サブ表示パネル１０ｓに印加されるサブコモン信号電圧Ｖcomsの反転駆動回数を、サブ表示パネル１０ｓの走査ライン数と同じにすることができる。
【０１０２】
特に、本実施形態のように、メイン表示パネル１０ｍ及びサブ表示パネル１０ｓのパネルサイズ（走査ライン数）の比を１：１に設定した場合には、図５に示すように、メイン表示パネル１０ｍに印加するメインコモン信号電圧Ｖcommと、サブ表示パネル１０ｓに印加するサブコモン信号電圧Ｖcomsとを同一の周期で反転駆動させることができるので、メインコモン信号駆動回路６０ｍ及びサブコモン信号駆動回路６０ｓを単一のコモン信号駆動回路に置き換えた構成を適用することができるので、表示装置の回路構成を簡略化して小型化することができる。
【０１０３】
また、メイン表示パネル及びサブ表示パネルのパネルサイズ（走査ライン数）を１：１に設定した場合であっても、上述した各実施形態と同様に、メイン表示パネル及びサブ表示パネルに印加するコモン信号電圧を、メイン表示パネル又はサブ表示パネルに配設された走査ライン数に対応する回数だけ反転駆動させればよいので、コモン信号電圧の反転駆動に係る駆動周期（周波数）を低減して、消費電力の削減を図ることができる。
【０１０４】
なお、上述した各実施形態においては、本発明に係る表示装置として、各々パネルサイズ（走査ライン数）の比がｉ：ｊ（ｊ＝１）となる２つの表示パネルを備える場合について説明したが、本発明はこれに限定されるものではない。すなわち、本発明は、２つの表示パネルの各々に配設された走査ライン群に対して、表示パネルのパネルサイズ（走査ライン数）に応じたタイミングで走査信号を印加するものであればよいので、例えば、２つの表示パネルのパネルサイズの比が３：２等の関係を有する場合であっても良好に適用することができる。
【０１０５】
例えば、パネルサイズ（走査ライン数）の比が３：２の関係を有する２つの表示パネルを備える表示装置の場合、上述した駆動制御方法において、連続する動作タイミング（３タイミング）で、一方の表示パネルの３行分（例えば、メイン表示パネル１０ｍの１〜３行目；ｉ行分）の走査ラインに走査信号を順次印加して選択駆動した後、次の連続する動作タイミング（２タイミング）で、他方の表示パネルの２行分（例えば、サブ表示パネル１０ｓの１〜２行目；ｊ行分）の走査ラインに走査信号を順次印加して選択駆動する制御動作を、双方の表示パネル間で交互に繰り返す。
【０１０６】
また、２つの表示パネルのパネルサイズの比が、上述したｉ：ｊ（ｉ、ｊは正の整数）のように整数比にならない場合であってもよく、この場合、パネルサイズの比に近似する整数比ｉ：ｊを用い、さらに、フレーム反転駆動、かつ、ライン反転駆動となるように、垂直帰線期間を構成する動作タイミングの数を任意に設定することにより、上述した駆動制御方法と同様に、各表示パネルに印加するコモン信号電圧の信号極性を反転駆動する回数を低減して、消費電力の削減を図ることができる。
【０１０７】
さらに、上述した第１乃至第３の実施形態においては、比較的パネルサイズの大きい（走査ライン数の多い）メイン表示パネルと比較的パネルサイズの小さい（走査ライン数の少ない）サブ表示パネルを備えた表示装置において、メイン表示パネルをi行走査駆動した後に、サブ表示パネルをｊ行走査駆動する場合について説明したが、サブ表示パネルをｊ行走査駆動した後に、メイン表示パネルをi行走査駆動するように動作制御するものであってもよいことはいうまでもない。
【０１０８】
加えて、上述した実施形態においては、２つの表示パネルを備える場合についてのみ説明したが、本発明はこれに限定されるものではなく、２以上の表示パネルを備えた表示装置であっても、本発明に係る技術思想を適用して、各表示パネルに印加するコモン信号電圧の信号極性を反転駆動する回数を低減することができ、消費電力の削減を図ることができる。
【図面の簡単な説明】
【０１０９】
【図１】本発明に係る表示装置の一実施形態を示す全体構成図である。
【図２】本発明に係る液晶表示装置における駆動制御動作（駆動制御方法）の第１の実施形態を示すタイミングチャートである。
【図３】本発明に係る液晶表示装置における駆動制御動作（駆動制御方法）の第２の実施形態を示すタイミングチャートである。
【図４】本発明に係る液晶表示装置における駆動制御動作（駆動制御方法）の第３の実施形態を示すタイミングチャートである。
【図５】本発明に係る液晶表示装置における駆動制御動作（駆動制御方法）の第４の実施形態を示すタイミングチャートである。
【図６】従来技術における、２つの表示パネルを備えた表示装置の一例を示す概略構成図である。
【図７】従来技術における表示装置の表示駆動制御方法の一例を示すタイミングチャートである。
【図８】従来技術における表示装置を、フレーム反転、かつ、ライン反転駆動方式により表示駆動する場合のタイミングチャートである。
【符号の説明】
【０１１０】
１０ｍ      メイン表示パネル
１０ｓ      サブ表示パネル
２０        データドライバ
３０ｍ      メイン走査ドライバ
３０ｓ      サブ走査ドライバ
４０        表示信号生成回路
４１        ＲＧＢデコーダ
４２        反転アンプ
５０        ＬＣＤコントローラ
６０ｍ      メインコモン信号駆動回路
６０ｓ      サブコモン信号駆動回路
Ｌｄ        データライン群
Ｌsm、Ｌss      走査ライン群
Ｖcomm、Ｖcoms    コモン信号電圧
【図１】
2005326461.tif 000003
【図２】
2005326461.tif 000004
【図３】
2005326461.tif 000005
【図４】
2005326461.tif 000006
【図５】
2005326461.tif 000007
【図６】
2005326461.tif 000008
【図７】
2005326461.tif 000009
【図８】
2005326461.tif 000010